(57)【要約】【課題】  吸引機構付き電気カミソリ器を提供する。【解決手段】  電気カミソリ器10において、筐体20部に配置されかつ第１開口14と第２開口16とを具備する髭滓蓄積容器15と、髭滓蓄積容器の第２開口に設けたフィルタを介して吸気しかつ筐体背面から排気する吸引器11と、筐体内にてカッターの背後に配置された吸引口12a、12bと、吸引口から吸引された髭滓を髭滓蓄積容器の第１開口へと誘導する誘導部13とを有し、髭滓蓄積容器は筐体側面から取り外し可能であることを特徴とする。【選択図】  図１
2005081085.tif 000002
【特許請求の範囲】
【請求項１】
筐体と、該筐体前面に設けたカッターを含むカッター部と、該筐体内に設けた該カッターの駆動部を具備する電気カミソリ器において、
前記筐体内部に配置されかつ第１開口と第２開口とを具備する髭滓蓄積容器と、
前記髭滓蓄積容器の第２開口に設けたフィルタを介して吸気しかつ前記筐体背面から排気する吸引器と、
前記筐体内にて前記カッターの背後に配置された吸引口と、
前記吸引口から吸引された髭滓を前記髭滓蓄積容器の前記第１開口へと誘導する誘導部とを有し、
前記髭滓蓄積容器は前記筐体側面から取り外し可能であることを特徴とする
電気カミソリ器。
【請求項２】
前記髭滓蓄積容器の前記第１開口に逆流防止手段を設けたことを特徴とする請求項１に記載の電気カミソリ器。
【請求項３】
前記カッターの駆動部が前記誘導部の内部空間に配置されることを特徴とする請求項１又は２に記載の電気カミソリ器。
【請求項４】
前記誘導部が前記髭滓蓄積容器の前記第１開口の近傍にて漏斗状に形成されることを特徴とする請求項１〜３のいずれかに記載の電気カミソリ器。
【発明の詳細な説明】
【技術分野】
【０００１】
本発明は、電気カミソリ器に関し、特に、剃り取った髭滓の処理手段を具備する電気カミソリ器に関する。
【背景技術】
【０００２】
電気カミソリ器は、一般的に、略直方形状の筐体の前面にカッターを含むカッター部を設けている。カッターの前方は網状のカバーで覆われ、カバーを通過してカッターに当たる髭が切断される。切断された髭の断片（以下「髭滓」と称する）は、筐体内におけるカッター背後の空間に主として蓄積される。その他、筐体内には、カッターを駆動するモータを具備する駆動部、駆動部からの動力をカッターに伝達する駆動伝達部、駆動部の電源を供給するバッテリ若しくは外部電源接続部、並びにスイッチ機構等が配置される。筐体外周には、カッターのカバーの他に、オンオフ用のスイッチ及び外部電源接続端子等が配置される。このような、一般的な電気カミソリ器は周知であり、例えば、特許文献１等がある。
【特許文献１】特開平５−２３７２７０号公報
【発明の開示】
【発明が解決しようとする課題】
【０００３】
上記の通り、従来の電気カミソリ器は、切断された髭滓がカッター背後の空間に蓄積される。髭滓は、通常粉末状であり、極めて微細である。従って、電気カミソリ器を使用する角度によっては、カッターのカバーの隙間等から落下し、周囲に散乱することがあった。このために、衣服や周辺を汚したり、掃除が必要となったりする等、不衛生であると同時に不快でもあった。
【０００４】
斯かる問題点に鑑み、本発明の目的は、髭滓が散乱することなく、かつ髭滓の後始末が容易な電気カミソリ器を提供することである。
【課題を解決するための手段】
【０００５】
上記の目的を達成すべく、本発明による電気カミソリ器は、以下の構成を有する。
【０００６】
（１）請求項１に係る電気カミソリ器は、筐体と、該筐体前面に設けたカッターを含むカッター部と、該筐体内に設けた該カッターの駆動部を具備する電気カミソリ器であって、前記筐体内部に配置され第１開口と第２開口とを具備する髭滓蓄積容器と、前記髭滓蓄積容器の第２開口に設けたフィルタを介して吸気しかつ前記筐体背面から排気する吸引器と、前記筐体内にて前記カッターの背後に配置された吸引口と、前記吸引口から吸引された髭滓を前記髭滓蓄積容器の前記第１開口へと誘導する誘導部とを有し、前記髭滓蓄積容器は前記筐体側面から取り外し可能であることを特徴とする。
【０００７】
（２）請求項２に係る電気カミソリ器は、請求項１において、前記髭滓蓄積容器の前記第１開口に逆流防止手段を設けたことを特徴とする。
【０００８】
（３）請求項３に係る電気カミソリ器は、請求項１又は２において、前記カッターの駆動部が前記誘導部の内部空間に配置されることを特徴とする。
【０００９】
（４）請求項４に係る電気カミソリ器は、請求項１〜３のいずれかにおいて、前記誘導部が前記髭滓蓄積容器の前記第１開口の近傍にて漏斗状に形成されることを特徴とする。
【発明の効果】
【００１０】
請求項１に係る電気カミソリ器においては、カッターにより切断された髭滓が、吸引器により発生する吸気の流れにより、カッター背後の吸引口から吸引され、誘導部を通って髭滓蓄積容器の中へ回収される。髭滓蓄積容器は、筐体の側面から取り外し可能であり、例えば引き出し状の箱で形成されており、使用後に髭滓蓄積容器を取り外し、その中に蓄積された髭滓を捨てることができる。これにより、髭滓が不用意に周囲に散乱することが避けられ、衛生的であると同時に快適に使用することができる。
【００１１】
請求項２に係る電気カミソリ器においては、請求項１において、髭滓蓄積容器の第１開口に、髭滓の逆流防止手段を設けている。例えば、容器内へのみ開く蓋である。簡単な構造では、菊割ゴムでもよい。これにより、髭滓が髭滓蓄積容器から誘導部へ逆流することが避けられる。
【００１２】
請求項３に係る電気カミソリ器においては、請求項１又は２において、カッターの駆動部が誘導部の内部空間に配置される。カッターの駆動部はモータを含むため、通常、電気カミソリ器の筐体内で大きな空間を占める。一方、本発明において吸引口から髭滓蓄積容器へと髭滓を誘導する誘導部もまた、できるだけ大きな空間とすることが髭滓を円滑にかつ効率的に回収するために好適である。従って、カッターの駆動部を中央に配置し、その周囲を誘導部の内部空間が取り囲む構造とすることにより、筐体内の限られた空間を最適に利用することができる。
【００１３】
請求項４に係る電気カミソリ器においては、請求項１〜３のいずれかにおいて、誘導部が髭滓蓄積容器の第１開口の近傍にて漏斗状に形成され、その断面積が連続的に縮小して第１開口に至る形状となっている。従って、誘導部内を流れる髭滓を第１開口へ向けて集中させることができ、髭滓が誘導部内に残留することがない。
【発明を実施するための最良の形態】
【００１４】
以下、実施例を示した図面を参照しつつ本発明の実施の形態を説明する。
図１（Ａ）は、本発明による電気カミソリ器の一実施例の概略的な平面展開図である。通常、電気カミソリ器１０は、略直方形状の筐体２０を有する。図１（Ａ）は、筐体２０を上から見た平面図であるが、筐体２０の上半分を取り除いて電気カミソリ器１０の内部構造を露出させた状態を示す。図１（Ａ）では、図中左側を電気カミソリ器１０の前側とし、図中右側を電気カミソリ器１０の後側とする。筐体２０の前面にカッターを含むカッター部２１を設けている。カッター部２１は、複数の刃を並設したカッターとその前方を覆う網状のカバーで構成される。髭剃りを行う場合は、カバーを皮膚に当てることによりカバーを通過した髭がカッターにより切断される。切断された直後の髭滓は、筐体２０内におけるカッター部２１の背後の空間に存在することとなる。
【００１５】
カッターは、駆動伝達部２２を介してカッターを駆動するモータを具備する駆動部２３と連結されている。カッターの動作は、駆動部２３からの動力をカッターに伝達する駆動伝達部２２の動作により実現される。筐体２０内には、駆動部２３へ電源を供給するバッテリ１８が設けられる。バッテリ１８は充電式でもよく、その場合は外部電源接続部１９を介して充電可能である。尚、バッテリ１８を内蔵せず、直接的に外部電源を供給する方式でもよい。筐体２０の外周上には、電気カミソリ器１０のオンオフのためのスイッチ（図示せず）が設けられる。尚、バッテリ１８、駆動部２３、その他スイッチ等との間の電気配線については図示を省略する。
【００１６】
本発明の電気カミソリ器１０においては、筐体２０の内部に髭滓蓄積容器１５が設けられる。髭滓蓄積容器１５は、本実施例では、略直方形状の箱の形態である。髭滓蓄積容器１５の前壁には第１開口１４が穿設され、後壁には第２開口１６が穿設されている。図示の例では、第１開口１４及び第２開口１６はいずれも円形開口である。さらに、第２開口１６には、髭滓を通さず空気のみを通すフィルタが設けられている。このフィルタを介して、髭滓蓄積容器１５の後側には吸引器１１が設けられる。吸引器１１は、やはりバッテリから電源を供給されるモータを含み、そのモータにより適宜の送風機構を駆動することにより髭滓蓄積容器１５から吸気を行う。また、吸引器１１の排気口１７は、筐体２０の背面に開口している。
【００１７】
さらに、カッターの背後には２個の吸引口１２ａ、１２ｂが配置されている。これらの吸引口１２ａ、１２ｂは、誘導部１３の入口開口となっている。一方、誘導部１３の出口開口は、髭滓蓄積容器１５の第１開口１４と連通している。好適には、誘導部１３が、髭滓蓄積容器１５の第１開口１４の近傍にて図示の通り漏斗状に形成されている。すなわち、誘導部１３の断面積が連続的に縮小して第１開口１４に至る形状となっている。従って、誘導部１３内を流れる髭滓を第１開口１４へ向けて集中させることができ、髭滓が誘導部１３内に残留することが避けられる。
【００１８】
従って、吸引器１１が稼働することにより、カッター背後に蓄積した髭滓は、吸引口１２ａ、１２ｂから誘導部１３内へと吸引される。図中、破線矢印は、髭滓の誘導経路を示す。吸引口１２ａ、１２ｂから吸引された髭滓は、誘導部１３内を通過して髭滓蓄積容器１５の第１開口へと誘導される。こうして、髭滓蓄積容器１５内に髭滓が蓄積される。
【００１９】
図１（Ｂ）は、図１（Ａ）の実施例の概略的な側面展開図である。図１（Ｂ）は、筐体２０を側面から見た平面図であるが、筐体２０の手前側の側面を取り除いて電気カミソリ器１０の内部構造を露出させた状態を示す。髭滓蓄積容器１５は、筐体２０の側面から取り外し可能となっており、図１（Ｂ）における手前側へ引き出すことにより取り外すことができる。尚、取り外しのための取っ手１５ａを設けると便利である。取っ手１５ａの形状は特定しないが、例えば、筐体２０の側面から突出することなく、かつ、指先の一部を引っかけられる凹部を設けることが好ましい。あるいは、別の実施例では、髭滓蓄積容器１５が筐体２０の両側面に跨って設けられる。そして、取り外す際は、一方の側面から髭滓蓄積容器１５を押して、反対側の側面へ突出させると取り出すことができる。
【００２０】
尚、図１に示すように、カッターの駆動部２３が、誘導部１３の内部空間に配置されることが好適である。カッターの駆動部２３はモータを含むため、通常、電気カミソリ器１０の筐体２０内で比較的大きな空間を占めることとなる。一方、本発明において吸引口１２ａ、１２ｂから髭滓蓄積容器１５へと髭滓を誘導する誘導部１３もまた、できるだけ大きな空間とすることが髭滓を円滑にかつ効率的に回収するために好適である。従って、カッターの駆動部２３を中央に配置し、その周囲を誘導部１３の内部空間が取り囲む構造とすることにより、筐体２０内の限られた空間を最適に利用することができる。
【００２１】
図２（Ａ）〜（Ｃ）はそれぞれ、図１（Ａ）の１−１断面、２−２断面及び３−３断面の概略図である。図２（Ａ）の１−１断面図では、２つの吸引口１２ａ、１２ｂが現れている。吸引口の数は実施例のような２個に限られないが、髭滓がカッター背後に残留することがないように、吸引口を筐体２０の断面において均等に配置することが望ましい。また、吸引口の総面積も大きいことが望ましい。
【００２２】
図２（Ｂ）の２−２断面図では、髭滓蓄積容器の第１開口１４が現れている。この第１開口１４には、逆流防止手段が設けられていることが好適である。例えば、髭滓蓄積容器内の方向のみに開く片開き弁等の逆止弁である。あるいは、簡単な構造としては図示のような菊割ゴムでもよい。このような逆流防止手段は、吸引器が稼働しているときには開き、吸引器が稼働していないときには閉じている。これにより、髭滓が髭滓蓄積容器から誘導部１３へ逆流したり漏れ出したりすることが避けられる。
【００２３】
図２（Ｃ）の３−３断面図では、髭滓蓄積容器１５のフィルタ付き第２開口１６が現れている。右の矢印及び右図は、髭滓蓄積容器１５を側面から引き出した状態を模式的に示している。髭滓蓄積容器１５の上面には、開閉自在の蓋を設けてもよい。髭滓蓄積容器１５を取り出した後、内部に蓄積された髭滓を捨て、その後再び髭滓蓄積容器１５を筐体２０にセットする。
【図面の簡単な説明】
【００２４】
【図１】（Ａ）は、本発明による電気カミソリ器の一実施例の概略的な平面展開図である。（Ｂ）は、同じく概略的な側面展開図である。
【図２】（Ａ）〜（Ｃ）はそれぞれ、図１（Ａ）の１−１断面、２−２断面及び３−３断面の概略図である。
【符号の説明】
【００２５】
１０  電気カミソリ器
１１  吸引器
１２ａ、１２ｂ  吸引口
１３  誘導部
１４  第１開口
１５  蓄積容器
１６  フィルタ付第２開口
１７  排気口
１８  蓄電器
１９  外部電源接続部
２０  筐体
２１  カッター
２２  駆動伝達部
２３  カッター駆動部  
【図１】
2005081085.tif 000003
【図２】
2005081085.tif 000004